(57)【要約】【課題】早期に車両の減速制御を行うことができるブレーキシステムを提供する。【解決手段】車体１には、ＥＳＣ用制御装置１７と駐車ブレーキ制御装置２３とが搭載されている。ＥＳＣ用制御装置１７は、ピストン６Ｄがブレーキパッド６Ｃに当接してブレーキパッド６Ｃをディスクロータ４に押圧することにより制動力を付与するために、ピストン６Ｄに液圧を供給する液圧供給装置１６の作動を制御する。駐車ブレーキ制御装置２３は、電動モータ７Ａで駆動される押圧部材保持機構８によってピストン６Ｄを推進し制動力を付与する後輪側ディスクブレーキ６の制動力を制御する。駐車ブレーキ制御装置２３は、液圧供給装置１６に対する液圧制御の実行状態をＥＳＣ用制御装置１７から取得し、該液圧制御の実行状態が異常の場合に、電動モータ７Ａを駆動して制動力を付与する。【選択図】図４
2018114940.tif 000002
【特許請求の範囲】
【請求項１】
ピストンが制動部材に当接して該制動部材を被制動部材に押圧することにより制動力を付与するために、前記ピストンに液圧を供給する液圧供給装置の作動を制御する液圧制御手段と、
電動モータで駆動される回転直動機構によって前記ピストンを推進し制動力を付与する電動パーキングブレーキの制動力を制御する電動モータ制御手段と、を備え、
前記電動モータ制御手段は、前記液圧供給装置に対する液圧制御の実行状態を前記液圧制御手段から取得し、該液圧制御の実行状態が異常の場合に、前記電動モータを駆動して制動力を付与することを特徴とするブレーキシステム。
【請求項２】
請求項１において、
前記電動モータ制御手段は、制動要求から所定時間以内に、前記液圧制御手段から液圧制御開始の信号を受信できず、かつ液圧制御の非実行信号が受信されている場合に液圧制御の実行状態が異常とすることを特徴とするブレーキシステム。
【発明の詳細な説明】
【技術分野】
【０００１】
本発明は、自動車等の車両に制動力を付与するブレーキシステムに関する。
【背景技術】
【０００２】
四輪自動車等の車両に搭載されるブレーキシステムとして、運転者のブレーキ操作量に応じたブレーキ液圧を電気的に制御する電動倍力装置と、車両に搭載された各種のセンサ等により車両の状態を検出して、その車両の状態に基づいて車両のホイールシリンダへのブレーキ液圧を制御する液圧供給装置（ＥＳＣ）とを備えたものが知られている（例えば、特許文献１参照）。
【０００３】
電動倍力装置は、運転者のブレーキペダルの踏込み操作時に踏力を増力してマスタシリンダに伝え、マスタシリンダ内に発生した液圧をホイールシリンダに供給して制動力を発生させている。一方、液圧供給装置は、複数の制御弁、ブレーキ液圧を加圧する液圧ポンプ、該液圧ポンプを駆動する電動モータ、および余剰のブレーキ液を一時的に貯留する液圧制御用リザーバを含んで構成され、各制御弁、電動モータを駆動制御することにより、ホイールシリンダに液圧を供給して制動力を発生させている。
【０００４】
特許文献１には、電動倍力装置と液圧供給装置とが連携してブレーキ制御を行うことが記載されている。この場合、電動倍力装置を制御する制御装置と液圧供給装置を制御する制御装置との通信途絶が検出されたときに、電動倍力装置の非定常状態と判断して、運転者のブレーキ操作量に応じた液圧を液圧供給装置によりホイールシリンダに供給させている。
【０００５】
また、ブレーキシステムとして、液圧供給装置と、電動アクチュエータにより制動力を付与する電動駐車ブレーキとが連携して行うものが知られている（例えば、特許文献２参照）。電動駐車ブレーキは、電動アクチュエータ（電動モータ）を駆動してピストンを推進させることにより制動力を付与する。この特許文献２に記載されたブレーキシステムでは、液圧制御中に車両の減速度を監視し、その減速度が目標値に達していない場合には異常と判断して電動パーキングブレーキによる減速制御に切替えている。
【先行技術文献】
【特許文献】
【０００６】
【特許文献１】特開２０１４−１６９０３９号公報
【特許文献２】米国特許出願公開第２０１５／００１９１０１号明細書
【発明の概要】
【発明が解決しようとする課題】
【０００７】
ところで、特許文献１に記載されたブレーキシステムでは、液圧供給装置の制御状態を監視していないので、液圧供給装置が正常に動作していない場合または液圧を発生できない場合には十分な制動力を付与できない虞がある。一方、特許文献２に記載されたブレーキシステムでは、車体（車輪）速度を正常に取得できていない場合には電動パーキングブレーキ制御への切替えが不可または遅延し、制動距離が増加する虞がある。また、車体速度は、路面勾配等の環境によっても変化するので、液圧供給装置による液圧制御が正常に実行されているか否かを判断することが困難な場合がある。
【０００８】
本発明の目的は、液圧供給装置の開始動作が正常に行われていない場合に、電動駐車ブレーキでの減速制動に切替えて、早期に車両の減速制御を行うことができるブレーキシステムを提供することにある。
【課題を解決するための手段】
【０００９】
上述した課題を解決するため、本発明によるブレーキシステムは、ピストンが制動部材に当接して該制動部材を被制動部材に押圧することにより制動力を付与するために、前記ピストンに液圧を供給する液圧供給装置の作動を制御する液圧制御手段と、電動モータで駆動される回転直動機構によって前記ピストンを推進し制動力を付与する電動パーキングブレーキの制動力を制御する電動モータ制御手段と、を備え、前記電動モータ制御手段は、前記液圧供給装置に対する液圧制御の実行状態を前記液圧制御手段から取得し、該液圧制御の実行状態が異常の場合に、前記電動モータを駆動して制動力を付与することを特徴としている。
【発明の効果】
【００１０】
本発明のブレーキシステムは、液圧供給装置の開始動作が正常に行われていない場合に、電動駐車ブレーキでの減速制動に切替えて、早期に車両の減速制御を行うことができる。
【図面の簡単な説明】
【００１１】
【図１】本発明の第１の実施形態によるブレーキシステムが搭載された車両の概念図。
【図２】図１中の後輪側に設けられた電動駐車ブレーキ機能付のディスクブレーキを拡大して示す縦断面図。
【図３】図１中の駐車ブレーキ制御装置を後輪側ディスクブレーキ等と共に示すブロック図。
【図４】駐車ブレーキ制御装置による処理を示す流れ図。
【図５】液圧供給装置と電動駐車ブレーキとの動作を時間系列で示す説明図。
【図６】本発明の第２の実施形態によるブレーキシステムが搭載された車両の概念図。
【図７】図６中の制動用制御装置をディスクブレーキ、液圧供給装置等と共に示すブロック図。
【発明を実施するための形態】
【００１２】
以下、実施形態によるブレーキシステムを、４輪自動車に搭載した場合を例に挙げ、添付図面に従って説明する。
【００１３】
図１ないし図５は、本発明の第１の実施形態を示している。図１において、車両のボディを構成する車体１の下側（路面側）には、例えば左右の前輪２（ＦＬ，ＦＲ）と左右の後輪３（ＲＬ、ＲＲ）とからなる合計４個の車輪が設けられている。車輪（各前輪２、各後輪３）は、車体１と共に車両を構成している。車両には、制動力を付与するためのブレーキシステムが搭載されている。以下、車両のブレーキシステムについて説明する。
【００１４】
前輪２および後輪３には、それぞれの車輪（各前輪２、各後輪３）と共に回転する被制動部材（回転部材）としてのディスクロータ４が設けられている。前輪２用のディスクロータ４は、液圧式のディスクブレーキである前輪側ディスクブレーキ５により制動力が付与される。後輪３用のディスクロータ４は、本発明の被制動部材を構成し、電動駐車ブレーキ機能付の液圧式のディスクブレーキである後輪側ディスクブレーキ６により制動力が付与される。
【００１５】
左右の後輪３に対応してそれぞれ設けられた一対（一組）の後輪側ディスクブレーキ６は、電動ブレーキ装置（電動パーキングブレーキ）を構成している。即ち、電動ブレーキ装置は、車両の左右両輪（左右の後輪３，３）に設けられている。そして、後輪側ディスクブレーキ６は、後述の液圧供給装置１６、ＥＳＣ用制御装置１７、および駐車ブレーキ制御装置２３と共に、ブレーキシステムを構成している。図２に示すように、後輪側ディスクブレーキ６は、例えば、キャリアと呼ばれる取付部材６Ａと、ホイールシリンダとしてのキャリパ６Ｂと、制動部材（摩擦部材、摩擦パッド）としての一対のブレーキパッド６Ｃと、押圧部材としてのピストン６Ｄとを含んで構成されている。
【００１６】
取付部材６Ａは、車両の非回転部に固定され、ディスクロータ４の外周側を跨いで形成されている。キャリパ６Ｂは、取付部材６Ａにディスクロータ４の軸方向への移動を可能に設けられている。本発明の制動部材を構成するブレーキパッド６Ｃは、取付部材６Ａに移動可能に取付けられ、ディスクロータ４に当接可能に配置されている。ピストン６Ｄは、ブレーキパッド６Ｃをディスクロータ４に押圧する。
【００１７】
この場合、キャリパ６Ｂは、ブレーキペダル９の操作等に基づいてシリンダ６Ｂ１内に液圧（ブレーキ液圧）が供給（付加）されることにより、ブレーキパッド６Ｃをピストン６Ｄで推進する。このとき、ブレーキパッド６Ｃは、キャリパ６Ｂの爪部６Ｂ２とピストン６Ｄとによりディスクロータ４の両面に押圧される。これにより、ディスクロータ４と共に回転する後輪３に制動力が付与される。
【００１８】
さらに、後輪側ディスクブレーキ６には、電動アクチュエータ７と押圧部材保持機構８とが設けられている。電動アクチュエータ７は、電動機としての電動モータ７Ａと、該電動モータ７Ａの回転を減速する減速機構（図示せず）とを含んで構成されている。電動モータ７Ａは、ピストン６Ｄを推進するための駆動源となるものである。押圧部材保持機構８は、ブレーキパッド６Ｃの押圧力を保持する保持機構を構成している。この場合、押圧部材保持機構８は、電動モータ７Ａの回転をピストン６Ｄの軸方向の変位（直動変位）に変換すると共に該ピストン６Ｄを推進する回転直動部材８Ａを含んで構成されている。
【００１９】
即ち、押圧部材保持機構８は、電動モータ７Ａの回転をピストン６Ｄの軸方向の変位に変換すると共に、電動モータ７Ａにより推進したピストン６Ｄを保持する。換言すれば、押圧部材保持機構８は、電動モータ７Ａによりピストン６Ｄに推力を与え、該ピストン６Ｄによりブレーキパッド６Ｃを推進しディスクロータ４を押圧し、該ピストン６Ｄの推力を保持する。押圧部材保持機構８は、例えばスピンドルナット機構等の回転直動機構として構成されている。
【００２０】
後輪側ディスクブレーキ６は、ブレーキペダル９の操作等に基づいて発生するブレーキ液圧によりピストン６Ｄを推進させ、ブレーキパッド６Ｃでディスクロータ４を押圧することにより、車輪（後輪３）延いては車両に制動力を付与する。これに加えて、後輪側ディスクブレーキ６は、後述するように、駐車ブレーキスイッチ２８からの信号等に基づく作動要求に応じて、電動モータ７Ａにより押圧部材保持機構８を介してピストン６Ｄを推進させ、車両に制動力（駐車ブレーキないし補助ブレーキ）を付与する。
【００２１】
即ち、電動ブレーキ装置（電動駐車ブレーキ機構）を構成する後輪側ディスクブレーキ６は、電動モータ７Ａを駆動し、回転直動部材８Ａによりピストン６Ｄを推進することにより、ブレーキパッド６Ｃをディスクロータ４に押圧して保持する。この場合、後輪側ディスクブレーキ６は、駐車ブレーキを付与するためのアプライ要求となる駐車ブレーキ要求信号（アプライ要求信号）に応じて、ピストン６Ｄを電動モータ７Ａで推進して車両の制動を保持することが可能となっている。これと共に、後輪側ディスクブレーキ６は、ブレーキペダル９の操作に応じて、液圧源（後述のマスタシリンダ１２、必要に応じて液圧供給装置１６）からの液圧供給により車両の制動が可能となっている。
【００２２】
このように、後輪側ディスクブレーキ６は、電動モータ７Ａによりディスクロータ４にブレーキパッド６Ｃを押圧し該ブレーキパッド６Ｃの押圧力を保持する押圧部材保持機構８を有し、かつ、電動モータ７Ａによる押圧とは別に付加される液圧によりディスクロータ４にブレーキパッド６Ｃを押圧可能に構成されている。
【００２３】
一方、左右の前輪２に対応してそれぞれ設けられた一対（一組）の前輪側ディスクブレーキ５は、駐車ブレーキの動作に関連する機構を除いて、後輪側ディスクブレーキ６とほぼ同様に構成されている。即ち、図１に示すように、前輪側ディスクブレーキ５は、取付部材（図示せず）、キャリパ５Ａ、ブレーキパッド（図示せず）、ピストン５Ｂ等を備えているが、駐車ブレーキの作動、解除を行うための電動アクチュエータ７（電動モータ７Ａ）、押圧部材保持機構８等を備えていない。しかし、前輪側ディスクブレーキ５は、ブレーキペダル９の操作等に基づいて発生する液圧によりピストン５Ｂを推進させ、車輪（前輪２）に制動力を付与する点で、後輪側ディスクブレーキ６と同様である。
【００２４】
なお、前輪側ディスクブレーキ５は、後輪側ディスクブレーキ６と同様に、電動駐車ブレーキ機能付のディスクブレーキとしてもよい。また、実施形態では、電動ブレーキ装置（駐車ブレーキ装置）として、電動モータ７Ａを備えた液圧式のディスクブレーキ６を用いている。しかし、これに限定されず、電動ブレーキ装置（駐車ブレーキ装置）は、例えば、電動キャリパを備えた電動式ディスクブレーキ、電動モータによりシューをドラムに押付けて制動力を付与する電動式ドラムブレーキ、電動ドラム式の駐車ブレーキを備えたディスクブレーキ、電動モータでケーブルを引っ張ることにより駐車ブレーキをアプライ作動させるケーブルプラー式駐車ブレーキ装置等を用いてもよい。即ち、電動ブレーキ装置は、電動モータ（電動アクチューエータ）の駆動に基づいて摩擦部材（パッド、シュー）を回転部材（ロータ、ドラム）に押圧（推進）し、その押圧力の保持と解除とを行うことができる構成であれば、各種の電動ブレーキ機構（電動駐車ブレーキ機構）を用いることができる。
【００２５】
車体１のフロントボード側には、ブレーキペダル９が設けられている。ブレーキペダル９は、車両のブレーキ操作時に運転者によって踏込み操作され、この操作に基づいて各ディスクブレーキ５，６は、常用ブレーキ（サービスブレーキ）としての制動力の付与および解除が行われる。ブレーキペダル９には、ブレーキランプスイッチ、ペダルスイッチ（ブレーキスイッチ）、ペダルストロークセンサ等のブレーキ操作検出センサ（ブレーキセンサ）１０が設けられている。
【００２６】
ブレーキ操作検出センサ１０は、ブレーキペダル９の踏込み操作の有無、またはその操作量を検出し、その検出信号を駐車ブレーキ制御装置２３に出力する。ブレーキ操作検出センサ１０の検出信号は、例えば車両データバス２０を介して他の制御装置（図示せず）に伝送される。
【００２７】
ブレーキペダル９の踏込み操作は、倍力装置１１を介して、油圧源（液圧源）として機能するマスタシリンダ１２に伝達される。倍力装置１１は、ブレーキペダル９とマスタシリンダ１２との間に設けられた気圧倍力装置（負圧ブースタ）または電動倍力装置（電動ブースタ）として構成され、ブレーキペダル９の踏込み操作時に踏力を増力してマスタシリンダ１２に伝える。
【００２８】
このとき、マスタシリンダ１２は、マスタリザーバ１３から供給（補充）されるブレーキ液により液圧を発生させる。マスタリザーバ１３は、ブレーキ液が収容された作動液タンクにより構成されている。ブレーキペダル９により液圧を発生する機構は、上記の構成に限られるものではなく、ブレーキペダル９の操作に応じて液圧を発生する機構、例えば、ブレーキバイワイヤ方式の機構等であってもよい。
【００２９】
マスタシリンダ１２内に発生した液圧は、例えば一対のシリンダ側液圧配管１４Ａ，１４Ｂを介して、液圧供給装置１６（以下、ＥＳＣ１６という）に送られる。ＥＳＣ１６は、マスタシリンダ１２と各ディスクブレーキ５，６との間に配置されている。ＥＳＣ１６は、マスタシリンダ１２からシリンダ側液圧配管１４Ａ，１４Ｂを介して出力される液圧を、ブレーキ側配管１５Ａ，１５Ｂ，１５Ｃ，１５Ｄを介して各ディスクブレーキ５，６に分配、供給する。即ち、ＥＳＣ１６は、ブレーキペダル９の操作に応じた液圧（ブレーキ液圧）を、各車輪（各前輪２、各後輪３）に設けられたディスクブレーキ５，６（キャリパ５Ａ，６Ｂ）へ供給するためのものである。これにより、車輪２，３のそれぞれに対して相互に独立して制動力を付与することができる。
【００３０】
ここで、ＥＳＣ１６は、複数の制御弁と、ブレーキ液圧を加圧する液圧ポンプ（いずれも図示せず）と、該液圧ポンプを駆動する電動モータ１６Ａと、余剰のブレーキ液を一時的に貯留する液圧制御用リザーバ（図示せず）とを含んで構成されている。ＥＳＣ１６（の各制御弁および電動モータ１６Ａ）は、ＥＳＣ用制御装置１７に接続されている。ＥＳＣ１６の各制御弁の開閉と電動モータ１６Ａの駆動は、ＥＳＣ用制御装置１７により制御される。
【００３１】
ＥＳＣ用制御装置１７（ＥＳＣ用コントロールユニット）は、マイクロコンピュータを含んで構成され、ＥＳＣ１６（の各制御弁のソレノイド、電動モータ１６Ａ）を電気的に駆動制御する。即ち、ＥＳＣ用制御装置１７は、例えば後輪側ディスクブレーキ６のピストン６Ｄがブレーキパッド６Ｃに当接してブレーキパッド６Ｃをディスクロータ４に押圧することにより制動力を付与するために、ピストン６Ｄに液圧を供給するＥＳＣ１６の作動（液圧）を制御する液圧制御手段を構成している。なお、ＥＳＣ用制御装置１７は、前輪側ディスクブレーキ５についても同様にＥＳＣ１６の作動（液圧）を制御する液圧制御手段を構成している。
【００３２】
ＥＳＣ用制御装置１７は、ＥＳＣ１６を含むブレーキ液圧供給回路（即ち、マスタシリンダ１２、シリンダ側液圧配管１４Ａ，１４Ｂ、ＥＳＣ１６、ブレーキ側配管１５Ａ，１５Ｂ，１５Ｃ，１５Ｄ、キャリパ５Ａ，６Ｂ、およびピストン５Ｂ，６Ｄにより構成される液圧供給回路）を監視する。これと共に、ＥＳＣ用制御装置１７は、ディスクブレーキ５，６（キャリパ５Ａ，６Ｂ）に対する液圧失陥を検出する。
【００３３】
また、ＥＳＣ用制御装置１７は、後述の駐車ブレーキ制御装置２３から出力された制動要求信号に基づき、ＥＳＣ１６（電動モータ１６Ａの駆動）による液圧制御を行う。この場合、ＥＳＣ用制御装置１７は、ＥＳＣ１６による液圧制御開始の信号および液圧制御の非実行信号を駐車ブレーキ制御装置２３に向けて出力する。
【００３４】
ＥＳＣ用制御装置１７は、ＥＳＣ１６の各制御弁（のソレノイド）、液圧ポンプ用の電動モータ１６Ａを個別に駆動制御することにより、ブレーキ側配管１５Ａ，１５Ｂ，１５Ｃ，１５Ｄから各ディスクブレーキ５，６に供給するブレーキ液圧を減圧、保持、増圧または加圧する制御をそれぞれのディスクブレーキ５，６毎に個別に行う。
【００３５】
この場合、ＥＳＣ用制御装置１７は、ＥＳＣ１６を作動制御することにより、例えば以下の（１）〜（８）等の制御を実行することができる。
（１）車両の制動時に接地荷重等に応じて各車輪２，３に適切に制動力を配分する制動力配分制御。
（２）制動時に各車輪２，３の制動力を自動的に調整して各車輪２，３のロック（スリップ）を防止するアンチロックブレーキ制御（液圧ＡＢＳ制御）。
（３）走行中の各車輪２，３の横滑りを検知してブレーキペダル９の操作量に拘わらず各車輪２，３に付与する制動力を適宜自動的に制御しつつ、アンダーステアおよびオーバーステアを抑制して車両の挙動を安定させる車両安定化制御。
（４）坂道（特に上り坂）において制動状態を保持して発進を補助する坂道発進補助制御。
（５）発進時等において各車輪２，３の空転を防止するトラクション制御。
（６）先行車両に対して一定の車間を保持する車両追従制御。
（７）走行車線を保持する車線逸脱回避制御。
（８）車両進行方向の障害物との衡突を回避する障害物回避制御（自動ブレーキ制御、衝突被害軽減ブレーキ制御）。
【００３６】
ＥＳＣ１６は、運転者のブレーキ操作による通常の動作時においては、マスタシリンダ１２で発生した液圧を、ディスクブレーキ５，６（のキャリパ５Ａ，６Ｂ）に直接供給する。これに対し、例えばアンチロックブレーキ制御等を実行する場合は、増圧用の制御弁を閉じてディスクブレーキ５，６の液圧を保持し、ディスクブレーキ５，６の液圧を減圧するときには、減圧用の制御弁を開いてディスクブレーキ５，６の液圧を液圧制御用リザーバに逃がすように排出する。
【００３７】
さらに、車両走行時の安定化制御（横滑り防止制御）等を行うため、ディスクブレーキ５，６に供給する液圧を増圧または加圧するときは、供給用の制御弁を閉弁した状態で電動モータ１６Ａにより液圧ポンプを作動させ、該液圧ポンプから吐出したブレーキ液をディスクブレーキ５，６に供給する。このとき、液圧ポンプの吸込み側には、マスタシリンダ１２側からマスタリザーバ１３内のブレーキ液が供給される。
【００３８】
ＥＳＣ用制御装置１７には、車両電源となるバッテリ１８（ないしエンジンによって駆動されるジェネレータ）からの電力が、電源ライン１９を通じて給電される。図１に示すように、ＥＳＣ用制御装置１７は、車両データバス２０に接続されている。
【００３９】
車両データバス２０は、車体１に搭載されたシリアル通信部としてのＣＡＮ（Controller Area Network）を構成している。車両に搭載された多数の電子機器（ＥＳＣ用制御装置１７、駐車ブレーキ制御装置２３を含む各種のＥＣＵ）は、車両データバス２０により、それぞれの間で車両内の多重通信を行う。この場合、車両データバス２０に送られる車両情報としては、例えば、ブレーキ操作検出センサ１０、Ｍ/Ｃ圧力センサ２１、Ｗ/Ｃ圧力センサ２２からの検出信号（出力信号）による情報（車両情報）が挙げられる。
【００４０】
さらに、車両データバス２０に送られる車両情報としては、例えば、イグニッションスイッチ、シートベルトセンサ、ドアロックセンサ、ドア開センサ、着座センサ、車速センサ、操舵角センサ、アクセルセンサ（アクセル操作センサ）、スロットルセンサ、エンジン回転センサ、ステレオカメラ、ミリ波レーダ、勾配センサ（傾斜センサ）、シフトセンサ（トランスミッションデータ）、加速度センサ（Ｇセンサ）、車輪速センサ、車両のピッチ方向の動きを検知するピッチセンサ等からの検出信号（出力信号）による情報（車両情報）も挙げられる。
【００４１】
ここで、Ｍ/Ｃ圧力センサ２１は、シリンダ側液圧配管１４Ａ，１４Ｂにそれぞれ設けられ、それぞれの配管内圧力（液圧）、即ち、該配管内圧力（液圧）に対応するマスタシリンダ１２のＭ/Ｃ液圧を、配管系統（プライマリ側、セカンダリ側）毎に検出するものである。即ち、Ｍ/Ｃ圧力センサ２１は、ディスクブレーキ５，６（キャリパ５Ａ，６Ｂ）へ供給されるＭ/Ｃ液圧を検出するものである。なお、図１では、Ｍ/Ｃ圧力センサ２１をマスタシリンダ１２とＥＳＣ１６との間に設けているが、例えば、Ｍ/Ｃ圧力センサ２１をＥＳＣ１６内に設けてもよい（内蔵してもよい）。
【００４２】
一方、Ｗ/Ｃ圧力センサ２２は、ブレーキ側配管１５Ａ，１５Ｂ，１５Ｃ，１５Ｄにそれぞれ設けられ、それぞれの配管内圧力（液圧）、即ち配管内圧力に対応するディスクブレーキ５，６（キャリパ５Ａ，６Ｂ）内のＷ/Ｃ液圧を個別に検出する。なお、図１では、Ｗ/Ｃ圧力センサ２２をＥＳＣ１６とキャリパ５Ａ，６Ｂとの間に設けているが、例えばＷ/Ｃ圧力センサ２２をＥＳＣ１６内に設けてもよい（内蔵してもよい）。Ｍ/Ｃ圧力センサ２１およびＷ/Ｃ圧力センサ２２は、ＥＳＣ用制御装置１７に接続されている。
【００４３】
駐車ブレーキ制御装置２３は、後輪側ディスクブレーキ６（の電動モータ７Ａ）の制御を行うもので、本発明の電動モータ制御手段を構成している。即ち、駐車ブレーキ制御装置２３は、マイクロコンピュータを含んで構成され、電動モータ７Ａで駆動される押圧部材保持機構８によってピストン６Ｄを推進し後輪側ディスクブレーキ６の制動力を制御するものである。
【００４４】
駐車ブレーキ制御装置２３は、ＥＳＣ用制御装置１７を含む各種の制御装置（ＥＣＵ：Electronic Control Unit）と車両データバス２０を介して接続されている。車両データバス２０からは、駐車ブレーキの制御（作動）に必要な車両の各種状態量、即ち各種車両情報を取得することができる。また、駐車ブレーキ制御装置２３には、後述の駐車ブレーキスイッチ２８が接続されている。
【００４５】
駐車ブレーキ制御装置２３は、後輪側ディスクブレーキ６，６の電動モータ７Ａ，７Ａを制御することにより、車両の駐車、停車時（必要に応じて走行時）に制動力（駐車ブレーキ、補助ブレーキ）を発生させる。なお、駐車ブレーキ制御装置２３は、左右で２つの後輪側ディスクブレーキ６，６を制御するようにしているが、左右の後輪側ディスクブレーキ６，６毎に設けるようにしてもよい。この場合には、それぞれの駐車ブレーキ制御装置２３を後輪側ディスクブレーキ６に一体的に設けることもできる。
【００４６】
図３に示すように、駐車ブレーキ制御装置２３は、演算回路２４、メモリ２５、左右の後輪側ディスクブレーキ６，６の電動モータ７Ａ，７Ａをそれぞれ駆動するモータ駆動回路２６，２７を含んで構成されている。メモリ２５には、電動駐車ブレーキ（電動モータ７Ａ）の制御プログラムが格納されている。これに加えて、メモリ２５には、図４に示す処理フローを実行するための処理プログラム、即ちＥＳＣ用制御装置１７から液圧制御の実行状態が異常の場合に、電動モータ７Ａ，７Ａの駆動（アプライ、リリース）を行う処理プログラムが格納されている。
【００４７】
駐車ブレーキ制御装置２３は、ＥＳＣ１６に対する液圧制御の実行状態をＥＳＣ用制御装置１７から取得し、液圧制御の実行状態が異常の場合に、電動モータ７Ａ，７Ａを駆動して制動力を付与する。具体的には、駐車ブレーキ制御装置２３は、後述の駐車ブレーキスイッチ２８のＯＮ操作による制動要求から所定時間（例えば、１秒）以内に、ＥＳＣ用制御装置１７から液圧制御開始の信号が受信できない場合に液圧制御の実行状態が異常と判断する。駐車ブレーキ制御装置２３がＥＳＣ用制御装置１７から液圧制御開始の信号を受信できない場合とは、ＥＳＣ用制御装置１７と駐車ブレーキ制御装置２３との間で断線等が生じている場合およびＥＳＣ用制御装置１７から液圧制御の非実行信号が受信されている場合が考えられる。
【００４８】
液圧制御の実行状態が異常の場合には、駐車ブレーキ制御装置２３は電動アクチュエータ７の電動モータ７Ａを駆動させることにより、回転直動部材８Ａによって後輪側ディスクブレーキ６のピストン６Ｄを推進させて制動力を発生させる。これにより、駐車ブレーキ制御装置２３は、車体１の速度およびＷ/Ｃ液圧を検出することなく電動モータ７Ａの駆動を開始させるので、早期に車両の減速制御を行うことができる。
【００４９】
駐車ブレーキスイッチ２８（ＰＫＢＳＷ）は、運転席（図示せず）の近傍に設けられている。駐車ブレーキスイッチ２８は、運転者によって操作される操作指示部となるものである。駐車ブレーキスイッチ２８は、運転者の操作指示に応じた駐車ブレーキの作動要求（保持要求となるアプライ要求、解除要求となるリリース要求）に対応する信号（作動要求信号）を、駐車ブレーキ制御装置２３へ伝達する。即ち、駐車ブレーキスイッチ２８は、電動モータ７Ａの駆動（回転）に基づいてピストン６Ｄ延いてはブレーキパッド６Ｃをアプライ作動（保持作動）またはリリース作動（解除作動）させるための作動要求信号（保持要求信号となるアプライ要求信号、解除要求信号となるリリース要求信号）を駐車ブレーキ制御装置２３に出力する。
【００５０】
運転者により駐車ブレーキスイッチ２８が制動側（アプライ側）に操作されたとき、即ち車両に制動力を付与するためのアプライ要求（制動保持要求）があったときは、駐車ブレーキスイッチ２８からアプライ要求信号（駐車ブレーキ要求信号）が出力される。この場合は、後輪側ディスクブレーキ６の電動モータ７Ａに、該電動モータ７Ａを制動側に回転させるための電力が、駐車ブレーキ制御装置２３を介して給電される。このとき、押圧部材保持機構８は、電動モータ７Ａの回転に基づいてピストン６Ｄをディスクロータ４側に推進（押圧）し、推進したピストン６Ｄを保持する。これにより、後輪側ディスクブレーキ６は、駐車ブレーキ（ないし補助ブレーキ）としての制動力が付与された状態、即ちアプライ状態（制動保持状態）となる。
【００５１】
一方、運転者により駐車ブレーキスイッチ２８が制動解除側（リリース側）に操作されたとき、即ち車両の制動力を解除するためのリリース要求（制動解除要求）があったときは、駐車ブレーキスイッチ２８からリリース要求信号が出力される。この場合は、後輪側ディスクブレーキ６の電動モータ７Ａに、該電動モータ７Ａを制動側とは逆方向に回転させるための電力が、駐車ブレーキ制御装置２３を介して給電される。このとき、押圧部材保持機構８は、電動モータ７Ａの回転によりピストン６Ｄの保持を解除する（ピストン６Ｄによる押圧力を解除する）。これにより、後輪側ディスクブレーキ６は、駐車ブレーキ（ないし補助ブレーキ）としての制動力の付与が解除された状態、即ちリリース状態（制動解除状態）となる。
【００５２】
駐車ブレーキは、例えば車両が所定時間停止したとき（例えば、走行中に減速に伴って、車速センサの検出速度が５ｋｍ／ｈ未満の状態が所定時間継続したときに停止と判断）、エンジンが停止したとき、シフトレバーをＰに操作したとき、ドアが開いたとき、シートベルトが解除されたとき等、駐車ブレーキ制御装置２３での駐車ブレーキのアプライ判断ロジックによる自動的なアプライ要求に基づいて、自動的に付与（オートアプライ）する構成とすることができる。
【００５３】
また、駐車ブレーキは、例えば車両が走行したとき（例えば、停車から増速に伴って、車速センサの検出速度が７ｋｍ／ｈ以上の状態が所定時間継続したときに走行と判断）、アクセルペダルが操作されたとき、クラッチペダルが操作されたとき、シフトレバーがＰ、Ｎ以外に操作されたとき等、駐車ブレーキ制御装置２３での駐車ブレーキのリリース判断ロジックによる自動的なリリース要求に基づいて、自動的に解除（オートリリース）する構成とすることができる。オートアプライ、オートリリースは、駐車ブレーキスイッチ２８が故障したときに、自動的に制動力の付与または解除を行うスイッチ故障時補助機能として構成することができる。
【００５４】
さらに、車両の走行時に駐車ブレーキスイッチ２８によるアプライ要求があった場合、より具体的には、走行中に緊急的に駐車ブレーキを補助ブレーキとして用いる等の動的駐車ブレーキ（動的アプライ）の要求があった場合も、駐車ブレーキ制御装置２３は、駐車ブレーキスイッチ２８の操作に応じて制動力の付与と解除を行う。この場合、駐車ブレーキ制御装置２３は、最初にＥＳＣ用制御装置１７に向けてＥＳＣ１６による液圧制御を行う旨の制御信号を出力する。
【００５５】
駐車ブレーキ制御装置２３は、駐車ブレーキスイッチ２８が操作されてから例えば１秒以内にＥＳＣ用制御装置１７からの液圧制御開始の信号を受信できなかった場合に、ＥＳＣ１６が液圧制御を実行していないと判断する。そして、駐車ブレーキ制御装置２３は、ＥＳＣ用制御装置１７に向けてＥＳＣ１６による液圧制御を行う旨の制御信号の出力を停止し、後輪側ディスクブレーキ６の電動モータ７Ａに、該電動モータ７Ａを制動側に回転させるための電力を供給する。即ち、走行中に緊急的に駐車ブレーキを補助ブレーキとして用いた場合には、まずＥＳＣ１６による液圧制御により車体１に制動力を付与する。そして、例えばＥＳＣ１６やＥＳＣ用制御装置１７の不調等によりＥＳＣ１６が正常に液圧制御を開始していない場合およびＥＳＣ用制御装置１７と駐車ブレーキ制御装置２３との間が断線等により通信途絶されている場合には、後輪側ディスクブレーキ６の電動モータ７Ａを駆動して車体１に制動力を付与する構成としている。
【００５６】
駐車ブレーキ制御装置２３は、駐車ブレーキスイッチ２８が制動側に操作されている間（制動側への操作が継続している間）に制動力を付与し、その操作が終了すると制動力の付与を解除する。このとき、駐車ブレーキ制御装置２３は、車輪（各後輪３）の状態、即ち、車輪がロック（スリップ）するか否かに応じて、自動的に制動力の付与と解除（電動ＡＢＳ制御）を行う構成とすることができる。なお、本明細書では、走行中に後輪側ディスクブレーキ６，６の電動モータ７Ａ，７Ａを用いて制動力を付与することも「駐車ブレーキ」と表現する場合がある。
【００５７】
第１の実施形態による４輪自動車のブレーキシステムは、上述の如き構成を有するもので、次に、その作動について説明する。
【００５８】
まず、運転者がブレーキペダル９を踏込み操作したときの制動動作について説明する。車両の運転者がブレーキペダル９を踏込み操作すると、その踏力が倍力装置１１を介してマスタシリンダ１２に伝達され、マスタシリンダ１２によってブレーキ液圧が発生する。マスタシリンダ１２内で発生したブレーキ液圧は、シリンダ側液圧配管１４Ａ，１４Ｂ、ＥＳＣ１６およびブレーキ側配管１５Ａ，１５Ｂ，１５Ｃ，１５Ｄを介して各ディスクブレーキ５，６に分配され、左右の前輪２，２と左右の後輪３，３とにそれぞれ制動力が付与される。
【００５９】
この場合、各ディスクブレーキ５，６では、キャリパ５Ａ，６Ｂ内のブレーキ液圧の上昇に従ってピストン５Ｂ，６Ｄがブレーキパッド６Ｃに向けて摺動的に変位し、ブレーキパッド６Ｃがディスクロータ４，４に押し付けられる。これにより、ブレーキ液圧に基づく制動力が付与される。一方、ブレーキ操作が解除されたときには、キャリパ５Ａ，６Ｂ内へのブレーキ液圧の供給が停止されることにより、ピストン５Ｂ，６Ｄがディスクロータ４，４から離れる（後退する）ように変位する。これによって、ブレーキパッド６Ｃがディスクロータ４，４から離間し、車両は非制動状態に戻される。
【００６０】
次に、車両の停止時に運転者が駐車ブレーキスイッチ２８を制動側（アプライ側）に操作したときの制動動作について説明する。車両の停止時に運転者が駐車ブレーキスイッチ２８を制動側（アプライ側）に操作したときは、駐車ブレーキ制御装置２３から後輪側ディスクブレーキ６，６の電動モータ７Ａ，７Ａに給電が行われ、電動モータ７Ａ，７Ａが回転駆動される。後輪側ディスクブレーキ６，６では、電動モータ７Ａ，７Ａの回転運動が押圧部材保持機構８，８により直線運動に変換され、回転直動部材８Ａ，８Ａによりピストン６Ｄ，６Ｄが推進する。
【００６１】
これにより、ブレーキパッド６Ｃ，６Ｃによりディスクロータ４，４が押圧される。このとき、押圧部材保持機構８は、例えば螺合による摩擦力（保持力）により制動状態を保持される。従って、後輪側ディスクブレーキ６，６は、駐車ブレーキとして作動（アプライ）される。即ち、電動モータ７Ａ，７Ａへの給電を停止した後にも、押圧部材保持機構８，８により、ピストン６Ｄ，６Ｄは制動位置に保持される。
【００６２】
一方、運転者が駐車ブレーキスイッチ２８を制動解除側（リリース側）に操作したときには、駐車ブレーキ制御装置２３から電動モータ７Ａ，７Ａに対してモータが逆転するように給電される。この給電により、電動モータ７Ａ，７Ａが駐車ブレーキの作動時（アプライ時）と逆方向に回転される。このとき、押圧部材保持機構８による制動力の保持が解除され、ピストン６Ｄがディスクロータ４から離れる方向に変位することが可能になる。これにより、後輪側ディスクブレーキ６，６は、駐車ブレーキとしての作動が解除（リリース）される。
【００６３】
次に、車両の走行時に運転者が駐車ブレーキスイッチ２８を制動側（アプライ側）に操作したときの制動動作について説明する。このとき、駐車ブレーキ制御装置２３の演算回路２４は、図４に示す制御処理を実行し、ＥＳＣ１６と協調して制動動作を行う。
【００６４】
そこで、駐車ブレーキ制御装置２３の演算回路２４で行われる制御処理について、図４を参照しつつ説明する。図４の制御処理は、例えば駐車ブレーキ制御装置２３に通電している間、所定の制御周期で繰り返し実行される。
【００６５】
駐車ブレーキ制御装置２３が起動する等により、図４の制御処理が開始されると、駐車ブレーキ制御装置２３は、ステップ１で、走行中か否かを判定する。即ち、駐車ブレーキ制御装置２３は、例えば車速センサの検出速度が７ｋｍ／ｈ以上の状態が所定時間継続しているか否かを判断することにより、車体１が走行中か否かを判定する。そして、ステップ１で「ＹＥＳ」、即ち車体１が走行中であると判定された場合には、ステップ２に進む。一方、ステップ１で「ＮＯ」、即ち車体１が停止中であると判定された場合には、リターンする。
【００６６】
ステップ２では、駐車ブレーキスイッチ２８の作動操作があるか否かを判定する。即ち、駐車ブレーキ制御装置２３は、運転者が駐車ブレーキを補助ブレーキとして用いるために、駐車ブレーキスイッチ２８を制動側（アプライ側）に操作したか否かを判定する。そして、ステップ２で「ＹＥＳ」、即ち駐車ブレーキスイッチ２８の作動操作があると判定された場合には、ステップ３に進む。一方、ステップ２で「ＮＯ」、即ち駐車ブレーキスイッチ２８の作動操作がない場合には、リターンする。
【００６７】
ステップ３では、ＥＳＣ用制御装置１７への液圧制御実行要求発行を行う。即ち、駐車ブレーキ制御装置２３は、ＥＳＣ用制御装置１７に向けてＥＳＣ１６による前輪側ディスクブレーキ５，５と後輪側ディスクブレーキ６，６との液圧制御（即ち、制動力の付与）を実行（開始）する制御信号（減速要求信号）を出力する。これに加え、駐車ブレーキ制御装置２３は、ＥＳＣ用制御装置１７に向けて車体１の減速度を指示するための要求減速度信号を出力する。
【００６８】
ＥＳＣ１６およびＥＳＣ用制御装置１７が正常な場合には、ＥＳＣ用制御装置１７がＥＳＣ１６の各制御弁（のソレノイド）、液圧ポンプ用の電動モータ１６Ａを個別に駆動制御する。これにより、ＥＳＣ用制御装置１７は、ブレーキ側配管１５Ａ，１５Ｂ，１５Ｃ，１５Ｄから各ディスクブレーキ５，６に供給するブレーキ液圧を減圧、保持、増圧または加圧する制御をそれぞれのディスクブレーキ５，６毎に個別に行う。このとき、ＥＳＣ用制御装置１７は、実行信号を出力する。
【００６９】
一方、ＥＳＣ１６の電動モータ１６Ａおよび各制御弁等の不調により、ＥＳＣ１６およびＥＳＣ用制御装置１７が非正常な場合には、ＥＳＣ用制御装置１７は、ＥＳＣ１６によるディスクブレーキ５，６に対する液圧制御を行うことができないことになる。このとき、ＥＳＣ用制御装置１７は、非実行信号を出力する。
【００７０】
次のステップ４では、所定時間以内にＥＳＣ用制御装置１７から実行応答がなしか否かを判定する。即ち、駐車ブレーキ制御装置２３は、駐車ブレーキスイッチ２８の作動操作から所定時間（例えば、１秒）以内に、ＥＳＣ１６が前輪側ディスクブレーキ５，５と後輪側ディスクブレーキ６，６とに液圧制御の実行を開始しているか否かを判定する。具体的には、駐車ブレーキ制御装置２３は、駐車ブレーキスイッチ２８の作動操作から所定時間以内に、ＥＳＣ用制御装置１７から実行信号が出力されたか否かを判定する。
【００７１】
そして、ステップ４で「ＹＥＳ」、即ち所定時間以内にＥＳＣ用制御装置１７から実行応答がない場合（非実行信号を受信している場合および通信途絶の場合）には、ステップ５に進む。一方、ステップ４で「ＮＯ」、即ち所定時間以内にＥＳＣ用制御装置１７から実行応答がある場合には、ＥＳＣ１６により制動力が付与されていると判断して、リターンする。
【００７２】
ステップ５では、ＥＳＣ用制御装置１７への液圧制御実行要求を終了し、駐車ブレーキによる緊急ブレーキ制御を開始する。即ち、駐車ブレーキ制御装置２３は、ＥＳＣ１６が液圧制御を実行していない場合には、ＥＳＣ１６による液圧制御の実行状態が異常であると判断する。そして、駐車ブレーキ制御装置２３は、ＥＳＣ１６による制動力の付与から駐車ブレーキによる制動力の付与に切替える。
【００７３】
具体的には、駐車ブレーキ制御装置２３は、減速要求信号および要求減速度信号の出力を停止する。その後、駐車ブレーキ制御装置２３は、後輪側ディスクブレーキ６，６の電動アクチュエータ７，７（電動モータ７Ａ，７Ａ）を駆動させ、回転直動部材８Ａ，８Ａによりピストン６Ｄ，６Ｄを推進させる。これにより、後輪側ディスクブレーキ６，６のブレーキパッド６Ｃ，６Ｃは、ディスクロータ４，４に押圧され、車体１に制動力を付与することができる。
【００７４】
第１の実施形態によるブレーキシステムは上述のような構成を有するもので、次に、車両の走行中に運転者が駐車ブレーキスイッチ２８を制動側に操作した場合の時間的推移について、図５を参照して説明する。なお、ＥＳＣ１６が正常に液圧制御を実行した場合には、図５中に示す実線２９Ａ〜２９Ｆのように推移する。一方、ＥＳＣ１６が異常の場合には、各時間（ｔ１〜ｔ４）において実線２９Ａ〜２９Ｆから点線３０Ａ〜３０Ｅのように推移する。
【００７５】
まず、図５中の実線２９Ａ〜２９Ｆを参照して、車両の走行中にＥＳＣ１６による液圧制御の実行状態が正常に開始した場合について説明する。
【００７６】
実線２９Ａに示すように、車両の走行中に時間ｔ１で駐車ブレーキスイッチ２８（ＰＫＢＳＷ）がＯＮ側（制動側）に操作されると、実線２９Ｂに示すように、所定の時間（例えば、６００ｍｓ）経過後の時間ｔ２で駐車ブレーキ制御装置２３はＥＳＣ用制御装置１７に向けて減速要求信号および要求減速度信号を出力する。
【００７７】
そして、実線２９Ｃに示すように、時間ｔ２から通信遅れおよびＥＳＣ用制御装置１７の判定時間経過後の時間ｔ３では、ＥＳＣ用制御装置１７が駐車ブレーキ制御装置２３からの要求減速度信号に基づき、ＥＳＣ１６の電動モータ１６Ａを駆動して前後輪側のディスクブレーキ５，６の液圧制御を実行する。また、実線２９Ｄに示すように、ＥＳＣ用制御装置１７は、駐車ブレーキ制御装置２３に向けて出力されていたＥＳＣ１６の非実行信号を実行信号に切替えて出力する。
【００７８】
これにより、駐車ブレーキ制御装置２３は、ＥＳＣ１６による制動力の付与が行われたことを判断することができる。そして、実線２９Ｅに示すように、車体１は、時間ｔ３からＥＳＣ１６の液圧制御により徐々に減速される。この場合、実線２９Ｆに示すように、電動駐車ブレーキ制御（ＰＫＢ制御）は、非作動となっている。
【００７９】
なお、駐車ブレーキスイッチ２８がＯＦＦ側（制動解除側）に操作された場合には、駐車ブレーキ制御装置２３がＥＳＣ用制御装置１７に向けて出力している減速要求信号および要求減速度信号を停止する。これにより、ＥＳＣ用制御装置１７は、ＥＳＣ１６による液圧制御を停止するので、車体１への制動力は解除される。
【００８０】
次に、図５中の点線３０Ａ〜３０Ｅを参照して、ＥＳＣ１６による液圧制御の実行状態が異常の場合について説明する。
【００８１】
このような場合には、時間ｔ３から時間ｔ４までの間で実行応答（実行信号）なし判定時間（例えば、６００ｍｓ）を設けている。即ち、実線２９Ａに示すように、時間ｔ１で駐車ブレーキスイッチ２８がＯＮ操作された後の時間ｔ２で駐車ブレーキ制御装置２３は、実線２９Ｂに示すように、ＥＳＣ用制御装置１７に向けて減速要求信号および要求減速度信号を出力する。そして、点線３０Ａに示すように、その後の時間ｔ３でＥＳＣ用制御装置１７から駐車ブレーキ制御装置２３に向けてＥＳＣ１６の非実行信号の出力が継続してなされている場合には、時間ｔ４までＥＳＣ用制御装置１７からＥＳＣ１６の実行信号が出力されるか否かを監視する。この場合、点線３０Ｂに示すように、ＥＳＣ１６による液圧制御はなされていないことになる。
【００８２】
そして、点線３０Ａに示すように、時間ｔ４で駐車ブレーキ制御装置２３は、ＥＳＣ用制御装置１７から液圧制御開始の信号（実行信号）を受信できず、かつ液圧制御の非実行信号が受信されている場合に液圧制御の実行状態が異常と判断する。この場合、点線３０Ｃに示すように、駐車ブレーキ制御装置２３は、ＥＳＣ用制御装置１７に向けて出力されている減速要求信号および要求減速度信号の出力を停止する。そして、点線３０Ｄに示すように、駐車ブレーキ制御装置２３は、ＥＳＣ１６による液圧制御に替えて駐車ブレーキ制御（ＰＫＢ制御）、即ち電動アクチュエータ７（電動モータ７Ａ）を駆動して制動力の付与を実行する。
【００８３】
これにより、点線３０Ｅに示すように、車体１は、時間ｔ４から駐車ブレーキ制御により徐々に減速される。なお、駐車ブレーキスイッチ２８がＯＦＦ側（制動解除側）に操作された場合には、駐車ブレーキ制御装置２３による駐車ブレーキ制御の実行を停止するので、車体１への制動力は解除される。
【００８４】
なお、駐車ブレーキ制御装置２３は、ＥＳＣ用制御装置１７から出力される液圧制御の実行信号または非実行信号を受信している。しかし、駐車ブレーキ制御装置２３とＥＳＣ用制御装置１７との間が断線等により通信途絶（不可）状態となっている場合には、駐車ブレーキスイッチ２８がＯＮ操作されたとしても、ＥＳＣ用制御装置１７が減速要求信号および要求減速度信号を受信できない。従って、ＥＳＣ用制御装置１７は、ＥＳＣ１６による液圧制御を実行しない。
【００８５】
この場合、駐車ブレーキ制御装置２３は、ＥＳＣ用制御装置１７からの応答信号（実行信号または非実行信号）が不明であると認識する。このような場合にも、駐車ブレーキ制御装置２３は、液圧制御の実行状態が異常であると判断して、駐車ブレーキ制御を行うことにより、車体１に制動力を付与する。なお、駐車ブレーキ制御装置２３は、ＥＳＣ用制御装置１７からの応答信号が不明であると認識したときには、時間ｔ４を待たずに駐車ブレーキ制御を実行してもよい。これにより、車体１に早期に制動力を付与することができるので、車体１の制動距離を短くすることができる。
【００８６】
かくして、第１の実施形態では、車両の走行中に駐車ブレーキスイッチ２８がＯＮ操作されたときに、駐車ブレーキ制御装置２３は、ＥＳＣ用制御装置１７に向けてＥＳＣ１６の液圧制御によるブレーキ制御を実行する制御信号を出力する。その後、駐車ブレーキ制御装置２３は、ＥＳＣ用制御装置１７から液圧制御の実行状態を取得し、ＥＳＣ１６による液圧制御の実行状態が異常の場合に、電動アクチュエータ７（電動モータ７Ａ）を駆動して制動力を付与している。即ち、駐車ブレーキ制御装置２３は、ＥＳＣ用制御装置１７がＥＳＣ１６による液圧制御の実行を開始してない場合に、駐車ブレーキにより制動力を付与する。
【００８７】
この場合、駐車ブレーキ制御装置２３は、駐車ブレーキスイッチ２８がＯＮ操作されてから所定時間以内に液圧制御の実行を開始したか否かにより異常を判断している。これにより、車両の減速度が発生し始めるタイミングまで待つことなく、早期に電動駐車ブレーキ制御に切替えることができる。このため、車両の減速度に基づいて、液圧制御による制動力から駐車ブレーキによる制動力に切替えた場合に比べて、車両の制動距離を短くすることができる。
【００８８】
また、車両の減速度変化を監視して電動駐車ブレーキ制御を行う場合には、その減速度がＥＳＣ１６による液圧制御によるものか、路面勾配（上り勾配）等の環境によるものかを判断することができない。これに対し、第１の実施形態では、駐車ブレーキ制御装置２３は、ＥＳＣ１６による液圧制御の実行が開始されたか否かを監視しているので、路面勾配等の環境による減速度変化に影響されることなく、電動駐車ブレーキ制御に切替えて車両に制動力を付与することができる。
【００８９】
次に、図６、図７は、本発明の第２の実施形態を示している。第２の実施形態の特徴は、ＥＳＣ１６を制御するＥＳＣ用制御装置と電動アクチュエータ７を制御する駐車ブレーキ制御装置とを統合した制動用制御装置３１を車体１に搭載したことにある。なお、第２の実施形態では、前述した第１の実施の形態と同一の構成要素に同一の符号を付し、その説明を省略するものとする。
【００９０】
制動用制御装置３１は、後輪側ディスクブレーキ６および液圧供給装置１６と共に、ブレーキシステムを構成している。図７に示すように、制動用制御装置３１は、マイクロコンピュータ等によって構成される演算回路（ＣＰＵ）３２を有し、制動用制御装置３１には、バッテリ１８（ないしエンジンによって駆動されるジェネレータ）からの電力が電源ライン１９を通じて給電される。
【００９１】
演算回路３２には、ＥＳＣ１６を制御する液圧制御手段としての液圧制御部３２Ａと、電動アクチュエータ７（電動モータ７Ａ）を制御する電動モータ制御手段としての電動モータ制御部３２Ｂとが設けられている。演算回路３２は、例えば同じ処理を並列に行うと共に互いに処理結果に相違がないかを監視するデュアルコア（二重回路）とし、一方のコア（回路）が故障しても他方のコア（回路）でバックアップできるように構成されている。
【００９２】
制動用制御装置３１の液圧制御部３２Ａは、ＥＳＣ１６の各制御弁の開閉と電動モータ１６Ａの駆動を制御し、各ディスクブレーキ５，６に供給するブレーキ液圧を減圧、保持、増圧または加圧する。これに加えて、制動用制御装置３１の電動モータ制御部３２Ｂは、後輪側ディスクブレーキ６，６の電動モータ７Ａ，７Ａの駆動を制御し、車両の駐車、停車時（必要に応じて走行時）に制動力（駐車ブレーキ、補助ブレーキ）を発生させる。
【００９３】
制動用制御装置３１は、左右の電動モータ７Ａ，７Ａを駆動することにより、ディスクブレーキ６，６を駐車ブレーキ（必要に応じて補助ブレーキ）として作動（アプライ・リリース）させる。このために、制動用制御装置３１は、入力側が駐車ブレーキスイッチ２８に接続され、出力側は各ディスクブレーキ６，６の電動モータ７Ａ，７Ａに接続されている。
【００９４】
制動用制御装置３１は、運転者の駐車ブレーキスイッチ２８の操作による作動要求（アプライ要求、リリース要求）、駐車ブレーキのアプライ・リリースの判断ロジックによる作動要求に基づいて、左右の電動モータ７Ａ，７Ａを駆動し、左右のディスクブレーキ６，６のアプライ（保持）またはリリース（解除）を行う。このとき、後輪側ディスクブレーキ６では、各電動モータ７Ａの駆動に基づいて、押圧部材保持機構８によるピストン６Ｄおよびブレーキパッド６Ｃの保持または解除が行われる。このように、制動用制御装置３１は、ピストン６Ｄ（延いてはブレーキパッド６Ｃ）の保持作動（アプライ）または解除作動（リリース）のための作動要求信号に応じて、ピストン６Ｄ（延いてはブレーキパッド６Ｃ）を推進するべく電動モータ７Ａを駆動制御する。
【００９５】
図７に示すように、制動用制御装置３１の演算回路３２には、記憶部としてのメモリ３３に加えて、駐車ブレーキスイッチ２８、車両データバス２０、モータ駆動回路３４，３５，３６等が接続されている。車両データバス２０からは、ＥＳＣ１６の制御および駐車ブレーキの制御（作動）に必要な車両の各種状態量、即ち各種車両情報を取得することができる。また、図示は省略するが、制動用制御装置３１には、ブレーキ操作検出センサ１０、Ｍ/Ｃ圧力センサ２１、およびＷ/Ｃ圧力センサ２２が接続されている。なお、車両データバス２０から取得する車両情報は、その情報を検出するセンサを制動用制御装置３１（の演算回路３２）に直接接続することにより取得する構成としてもよい。
【００９６】
制動用制御装置３１は、例えばフラッシュメモリ、ＲＯＭ、ＲＡＭ、ＥＥＰＲＯＭ等からなる記憶部としてのメモリ３３を備えている。メモリ３３には、ＥＳＣ１６の制御プログラム、電動駐車ブレーキ（電動モータ７Ａ）の制御プログラムが格納されている。これに加え、メモリ３３には、図４に示す処理フローを実行するための処理プログラム、即ちＥＳＣ１６による液圧制御の実行状態が異常の場合に、電動モータ７Ａ，７Ａの駆動（アプライ、リリース）を行う処理プログラムが格納されている。
【００９７】
図７に示すように、制動用制御装置３１には、ＥＳＣ１６の電動モータ１６Ａを駆動するＥＳＣモータ駆動回路３４、ＥＳＣ１６の制御弁（のソレノイド）を駆動する制御弁駆動回路（図示せず）、一方（例えば左）の後輪側ディスクブレーキ６の電動モータ７Ａを駆動する一側モータ駆動回路３５、および他方（例えば右）の後輪側ディスクブレーキ６の電動モータ７Ａを駆動する他側モータ駆動回路３６が内蔵されている。さらに、図示は省略するが、制動用制御装置３１には、電源ライン１９からの電圧を検出する電圧センサ、電動モータ７Ａ，７Ａ，１６Ａのそれぞれのモータ電流を検出する電流センサ等も内蔵されている。ＥＳＣモータ駆動回路３４、制御弁駆動回路、一側モータ駆動回路３５、他側モータ駆動回路３６、電圧センサ、電流センサは、それぞれ演算回路３２に接続されている。
【００９８】
これにより、制動用制御装置３１の演算回路３２では、例えば電流センサ部により検出されるＥＳＣ１６の電動モータ１６Ａの電流値、さらには、前述のブレーキ操作検出センサ１０により検出されるブレーキ操作の有無、Ｍ/Ｃ圧力センサ２１およびＷ/Ｃ圧力センサ２２により検出される液圧値等に基づいて、ディスクブレーキ５，６に対する液圧供給が正常か否かを判定することができる。また、制動用制御装置３１の演算回路３２では、駐車ブレーキのアプライまたはリリースを行うときに、電流センサ部により検出される電動モータ７Ａ，７Ａのモータ電流の変化（電流値の変化）に基づいて、ディスクロータ４とブレーキパッド６Ｃとの当接・離接の判定、電動モータ７Ａの駆動の停止の判定（アプライ完了の判定、リリース完了の判定）を行うことができる。
【００９９】
次に、車両の走行時に運転者が駐車ブレーキスイッチ２８を制動側（アプライ側）に操作したときの制動動作について説明する。このとき、制動用制御装置３１の演算回路３２は、図４に示す制御処理を実行し、ＥＳＣ１６または後輪側ディスクブレーキ６，６による制動動作を行う。
【０１００】
即ち、車両の走行中に駐車ブレーキスイッチ２８がＯＮ側（制動側）に操作されると、制動用制御装置３１の電動モータ制御部３２Ｂは、液圧制御部３２Ａに向けて減速要求信号および要求減速度信号を出力する。そして、液圧制御部３２Ａは、ＥＳＣ１６の電動モータ１６Ａを駆動して前後輪側のディスクブレーキ５，６の液圧制御を実行する。
【０１０１】
ＥＳＣ１６が正常に動作した場合には、ブレーキ側配管１５Ａ，１５Ｂ，１５Ｃ，１５Ｄから各ディスクブレーキ５，６に供給するブレーキ液圧を減圧、保持、増圧または加圧する制御をそれぞれのディスクブレーキ５，６毎に個別に行われて制動力が付与される。この場合、液圧制御部３２Ａは、電動モータ制御部３２Ｂに向けて液圧制御開始の信号（実行信号）を出力する。換言すると、液圧制御部３２Ａは、ＥＳＣ１６による液圧制御の実行を開始したときに、液圧制御開始のフラグ（実行フラグ）をセットする。
【０１０２】
一方、ＥＳＣ１６の電動モータ１６Ａおよび各制御弁（図示せず）等の不調により、駐車ブレーキスイッチ２８がＯＮ側に操作されてから所定時間以内にＥＳＣ１６による液圧制御の実行が開始されない場合には、液圧制御部３２Ａから電動モータ制御部３２Ｂに向けて非実行信号が出力される。換言すると、液圧制御部３２Ａは、ＥＳＣ１６による液圧制御の実行を開始していない場合に、液圧制御非実行のフラグ（非実行フラグ）をセットする。また、液圧制御部３２Ａは、電動モータ制御部３２Ｂに向けて非実行信号を出力したときに、ＥＳＣ１６による液圧制御の実行を中止する。
【０１０３】
電動モータ制御部３２Ｂは、駐車ブレーキスイッチ２８がＯＮ側に操作（即ち、制動要求）から所定時間以内に、液圧制御部３２Ａから液圧制御開始の信号（実行フラグ）を受信（取得）できず、かつ液圧制御の非実行信号（非実行フラグ）が受信（取得）されている場合にＥＳＣ１６による液圧制御の実行状態が異常であると判断する。この場合、電動モータ制御部３２Ｂは、液圧制御部３２Ａへの減速要求信号および要求減速度信号の出力を停止する。そして、電動モータ制御部３２Ｂは、ＥＳＣ１６による液圧制御に替えて駐車ブレーキ制御（ＰＫＢ制御）、即ち電動アクチュエータ７（電動モータ７Ａ）を駆動して後輪側ディスクブレーキ６のピストン６Ｄを推進させて制動力の付与を実行する。
【０１０４】
かくして、第２の実施形態についても第１の実施形態と同様に車両の減速度が発生し始めるタイミングまで待つことなく、早期に電動駐車ブレーキ制御に切替えることができる。このため、車両の減速度に基づいて、液圧制御による制動力から駐車ブレーキによる制動力に切替えた場合に比べて、車両の制動距離を短くすることができる。また、路面勾配等の環境による減速度変化に影響されることなく、電動駐車ブレーキ制御に切替えて車両に制動力を付与することができる。
【０１０５】
特に、第２の実施形態では、液圧制御部３２Ａと電動モータ制御部３２Ｂとが備えられた制動用制御装置３１がＥＳＣ１６による液圧制御と電動アクチュエータ７による駐車ブレーキ制御とを行っている。これにより、液圧制御部３２Ａと電動モータ制御部３２Ｂとの間の断線等による通信途絶は考慮する必要はないが、ＥＳＣ１６の不調等により制動力を付与できない場合に、早期に電動駐車ブレーキ制御に切替えて車両に制動力を付与することができる。
【０１０６】
なお、上述した第１の実施形態では、後輪側ディスクブレーキ６を電動ブレーキ装置（電動駐車ブレーキ装置）とした場合を例に挙げて説明した。即ち、第１の実施形態では、後輪側ディスクブレーキ６を電動駐車ブレーキ機能付の液圧式ディスクブレーキとすると共に、前輪側ディスクブレーキ５を電動駐車ブレーキ機能が付いていない液圧式ディスクブレーキとした場合を例に挙げて説明した。
【０１０７】
しかし、これに限らず、例えば前輪側ディスクブレーキ５を電動ブレーキ装置（電動駐車ブレーキ装置）としてもよい。即ち、後輪側ディスクブレーキ６を駐車ブレーキ機能が付いていない液圧式ディスクブレーキとすると共に、前輪側ディスクブレーキ５を電動駐車ブレーキ機能付の液圧式ディスクブレーキとしてもよい。このことは、第２の実施形態についても同様である。
【０１０８】
さらに、前輪側ディスクブレーキ５と後輪側ディスクブレーキ６との両方を、電動駐車ブレーキ機能付の液圧式ディスクブレーキ、即ち電動ブレーキ装置（電動駐車ブレーキ装置）としてもよい。要するに、車両の車輪のうち少なくとも左右一対の車輪のブレーキを、電動ブレーキ装置（電動駐車ブレーキ装置）により構成することができる。このことは、第２の実施形態についても同様である。
【０１０９】
また、上述した第１の実施形態では、電動ブレーキ装置（電動駐車ブレーキ装置）として、電動駐車ブレーキ付の液圧式ディスクブレーキ６を例に挙げて説明した。しかし、ディスクブレーキ式のブレーキ機構に限らず、ドラムブレーキ式のブレーキ機構として構成してもよい。さらに、ディスクブレーキにドラム式の電動駐車ブレーキを設けたドラムインディスクブレーキ、電動モータでケーブルを引っ張ることにより駐車ブレーキの保持を行う構成等、ブレーキ機構（電動ブレーキ装置）は各種のものを採用することができる。このことは、第２の実施形態についても同様である。
【０１１０】
以上説明した実施形態に基づくブレーキシステムとして、例えば下記に述べる態様のものが考えられる。
【０１１１】
第１の態様としては、ピストンが制動部材に当接して該制動部材を被制動部材に押圧することにより制動力を付与するために、前記ピストンに液圧を供給する液圧供給装置の作動を制御する液圧制御手段と、電動モータで駆動される回転直動機構によって前記ピストンを推進し制動力を付与する電動パーキングブレーキの制動力を制御する電動モータ制御手段と、を備え、前記電動モータ制御手段は、前記液圧供給装置に対する液圧制御の実行状態を前記液圧制御手段から取得し、該液圧制御の実行状態が異常の場合に、前記電動モータを駆動して制動力を付与する。
【０１１２】
第２の態様としては、第１の態様において、前記電動モータ制御手段は、制動要求から所定時間以内に、前記液圧制御手段から液圧制御開始の信号を受信できず、かつ液圧制御の非実行信号が受信されている場合に液圧制御の実行状態が異常とする。
【符号の説明】
【０１１３】
１  車体
４  ディスクロータ（被制動部材）
６  後輪側ディスクブレーキ（電動パーキングブレーキ）
６Ｃ  ブレーキパッド（制動部材）
６Ｄ  ピストン
７  電動アクチュエータ
７Ａ  電動モータ
８  押圧部材保持機構（回転直動機構）
１６  ＥＳＣ（液圧供給装置）
１７  ＥＳＣ用制御装置（液圧制御手段）
２３  駐車ブレーキ制御装置（電動モータ制御手段）
３１  制動用制御装置
３２  演算回路
３２Ａ  液圧制御部（液圧制御手段）
３２Ｂ  電動モータ制御部（電動モータ制御手段）
【図１】
2018114940.tif 000003
【図２】
2018114940.tif 000004
【図３】
2018114940.tif 000005
【図４】
2018114940.tif 000006
【図５】
2018114940.tif 000007
【図６】
2018114940.tif 000008
【図７】
2018114940.tif 000009